(57)【特許請求の範囲】
【請求項１】
額縁と、該額縁が配設されるべき開口を有する内壁枠とを備えてなる額縁廻りの気密構造であって、
前記額縁の外周面に、その一の面が前記内壁枠の表面と略同一面となるように周設された補助部材と、
前記額縁廻りに沿って、前記補助部材の一の面と前記内壁枠の表面とに渡って貼設された帯状の気密テープとを備えてなるものであることを特徴とする額縁廻りの気密構造。
【請求項２】
額縁と、該額縁が配設されるべき開口を有する内壁枠とを備えてなる額縁廻りの気密構造であって、
前記額縁廻りに沿って、該額縁の外周面及び前記内壁枠の表面と密接するように設けられたＬ型の気密プレートと、
該気密プレートの継目部分を密封するように設けられた帯状の気密テープとを備えてなるものであることを特徴とする額縁廻りの気密構造。
【発明の詳細な説明】
【０００１】
【発明の属する技術分野】
本発明は、住宅等の建築物の気密構造、特に額縁廻りの気密構造に関するものである。
【０００２】
【従来の技術】
近年、住宅には、計画的な換気による住宅の快適性の向上や、断熱性の向上による省エネルギー化を図るために、住宅の気密が求められるようになってきている。一般に、気密住宅とは、気密性能を表す相当隙間面積が床面積１平方メートル当たり５平方センチメートル以下のものをいい、これを達成するために、住宅の内部空間全体を気密面で囲うように気密工法が施工される。該気密工法は、住宅内部の隙間部分、例えば、額縁廻りにおいては、額縁、内壁枠等の接続部分にウレタン等の樹脂を吹き付けることにより、額縁廻りの気密を確保していた。
【０００３】
【発明が解決しようとする課題】
しかし、前記気密工法においては、発泡したウレタンが、直射日光や夏期などで高温となった場合に、さらに発泡して膨張することがあるため、ウレタンを吹付けた接続部分が変形する等の問題があった。
本発明は、前記の点に鑑みてなされたものであり、住宅等の額縁廻りの気密を確保し、かつ、施工が容易な気密構造を提供することを目的とする。
【０００４】
【課題を解決するための手段】
前記目的を達成するためになされた本発明の請求項１に係る額縁廻りの気密構造は、額縁と、該額縁が配設されるべき開口を有する内壁枠とを備えてなる額縁廻りの気密構造であって、前記額縁の外周面に、その一の面が前記内壁枠の表面と略同一面となるように周設された補助部材と、前記額縁廻りに沿って、前記補助部材の一の面と前記内壁枠の表面とに渡って貼設された帯状の気密テープとを備えてなるものである。
【０００５】
また、本発明の請求項２に係る額縁廻りの気密構造は、額縁と、該額縁が配設されるべき開口を有する内壁枠とを備えてなる額縁廻りの気密構造であって、前記額縁廻りに沿って、該額縁の外周面及び前記内壁枠の表面と密接するように設けられたＬ型の気密プレートと、該気密プレートの継目部分を密封するように設けられた帯状の気密テープとを備えてなるものである。
【０００６】
【発明の実施の形態】
以下、本発明の第１の実施の形態を図面に基づき具体的に説明する。
図１は、本発明の第１の実施の形態に係る額縁廻りの気密構造を説明するための概略斜視図である。図に示すように、窓１は、壁の開口に設けられており、窓１の屋内側には、矩形の額縁３が配設されている。さらに、窓１の屋内側の壁面には、石膏ボード４が覆設されている。
【０００７】
図２は、図１におけるＡ−Ａ断面を示す断面図である。図に示すように、軸組６に沿って、屋外側には外壁パネル５が、屋内側には断熱内壁枠２が、両者が互いに平行になるように設けられ、さらに、断熱内壁枠２の屋内側には石膏ボード４が配設されており、これらにより、住宅の壁が構成されている。該壁の開口の上下部分には、窓台１５（図示せず）及び窓まぐさ１６（図示せず）が配設されており、窓１は、該窓台１５及び窓まぐさ１６に固定された矩形の窓枠１０と、ヒンジ１２を介して屋外側に開閉する扉１１とからなるものであり、扉１１には、ガラス１３が嵌め込まれている。窓１が設けられた壁の屋内側には、額縁３が配設されるべき開口２３を有する断熱内壁枠２ａが配設されており、該断熱内壁枠２ａの開口周部２４と窓枠１０の周縁部１４との間に、額縁３が配設されている。額縁３の外周面には、補助部材３１が周設されており、該補助部材３１と断熱内壁枠２ａの表面との間を密封するように気密テープ７が貼り付けられている。
なお、窓枠１０及び扉１１の材質は特に限定されるものはなく、アルミニウムやステンレス製のものであっても、ポリ塩化ビニル等のプラスチック製のものであってもよいが、住宅内部の気密を確保するためには、窓１自体が気密を確保できるものであることが必要である。
【０００８】
図３は、前記断熱内壁枠２ａの詳細な構成を示す概略斜視図であり、説明の便宜上、気密シート２２を省略したものを示している。図に示すように、断熱内壁枠２ａは、縦桟と横桟とを組み合わせた矩形の枠体２０に、適宜、補強部材を架設し、該枠体２０の内部にグラスウール等の断熱材２１を充填し、さらに、その表面には、気密を確保するためのポリプロピレン製の気密シート２２（図示せず）を覆設したものであり、この気密シート２２により、住宅内部の気密を確保するための気密面が形成される。また、窓１の屋内側に配設される内壁枠には、額縁３が配設されるべき開口２３が設けられている。
【０００９】
額縁３は、図４に示すように、断熱内壁枠２ａの開口２３の縦寸法又は横寸法と略同寸法の板状体を縦横に組み合わせた矩形の枠体であり、断熱内壁枠２ａの開口周部２４に配設されるものである。また、額縁３の外周面には、補助部材３１が周設されている。該補助部材３１は、その側面が、断熱内壁枠２ａと額縁３との間の隙間を密封する気密テープ７を貼り付けるための貼りしろの役割を果たすものである。
該補助部材３１は、図５に示すように、矩形の額縁３の一辺を担うＬ型の板３２と同じ長さの平板であり、接着剤及び釘等で該板３２に固定される。このとき、補助部材３１の厚さ寸法が、前記気密テープ７の貼りしろ寸法となる。また、補助部材３１の幅寸法、及び前記板３２に固定される位置は、額縁３廻りに配設される石膏ボード４の厚さに対応して決定する。額縁３廻りの気密を確保する気密テープ７の貼付け施工を容易なものとするためには、気密テープ７の貼りしろとなるべき補助部材３１の側面が、断熱内壁枠２ａの開口２３に額縁３を配設した場合に、該断熱内壁枠２ａの表面と略同一面となるように、前記補助部材３１の固定位置を決定することが望ましい。
なお、額縁３に補助部材３１を周設する代わりに、額縁３の外周面に凹型溝を周設することとしてもよい。
【００１０】
気密テープ７は、ポリエチレン、ポリプロピレン等の合成樹脂からなる帯状のものであり、その一の面には接着剤等が塗布されており、必要に応じて現場で適当な長さに裁断して用いられる。気密テープ７の材質は前記に限定されるものではないが、住宅の気密を確保するに十分な気密性、防湿性を有することが必要であり、さらに、施工や取扱いを容易なものとするために、適度な軟性を有するものであることが望ましい。
【００１１】
以下、本気密構造の施工方法について、図６から図１０に基づいて説明する。まず、図６に示すように、軸組６に沿って外壁パネル５、窓台１５及び窓まぐさ１６を取り付け、窓台１５及び窓まぐさ１６に窓１を固定する。窓１は、窓１全体を固定しても、窓１から扉１１を取り除いた窓枠１０のみを固定し、以下に説明する施工を終えてから、扉１１を取り付けることとしてもよい。
さらに、図７に示すように、屋内側から、額縁３が配設されるべき開口２３を有する断熱内壁枠２ａを取り付ける。断熱内壁枠２、２ａの継目部分は、必要に応じて、気密テープ７等を用いて密封し、気密を確保しておく。
【００１２】
つぎに、図８に示すように、断熱内壁枠２ａの開口２３に、額縁３を嵌め込んで固定する。額縁３の固定は、ビスや釘等を、額縁３を貫通して断熱内壁枠２ａの開口周部２４に貫入するように打ち付けることにより、又は、適当な取付け金具等を用いて行う。
なお、必要であれば、窓枠１０の周縁部１４に、ポリウレタンやポリスチレン等の発泡体（図示せず）を周設し、額縁３を、該気密発泡体を押圧するように配設して、窓枠１０と額縁３との間の気密を確保する。
【００１３】
つぎに、額縁３廻りに気密テープ７を貼り付けるが、気密テープ７の貼付け方法は、図８に示す箇所Ｂを例に説明する。
気密テープ７は、図９に示すように、矩形の額縁３の各辺それぞれについて、その一の側縁を額縁３の補助部材３１の側壁に、他の側縁を断熱内壁枠２ａの表面に密接するように貼りつける。該補助部材３１の側壁と断熱内壁枠２ａの表面とは略同一面となっているので、気密テープ７を折り曲げることなく貼り付けることができる。
さらに、額縁３の隅部においては、図１０に示すように、気密テープ７同士が相互に重なり合うように貼り付ける。額縁３の四隅すべてにおいて、これと同様に気密テープ７を貼りつける。このようにして、額縁３廻りの断熱内壁枠２ａと額縁３との間の隙間を、気密テープ７により密封する。
その後、断熱内壁枠２ａの屋内側に、石膏ボード４を、額縁３と補助部材３１との間に嵌合するようにして覆設する。
なお、気密テープ７は、断熱内壁枠２ａの表面に覆設された気密シート２２に密着するように貼り付ければ気密を確保できるが、断熱内壁枠２ａの枠体２０又は桟がある位置までに渡って貼り付けられるような幅寸法の気密テープ７を用いて、該気密テープ７が、その後に覆設する石膏ボード４と断熱内壁枠２ａの枠体等により挟み込まれるようにすれば、さらに確実に気密を保持することができる。
【００１４】
このように、本実施の形態に係る額縁廻りの気密構造によれば、断熱内壁枠２ａの開口周部２４と窓枠１０の周縁部１４との間に配設される額縁３の外周面に、補助部材３１を周設し、該補助部材３１と断熱内壁枠２ａの表面との間を密封するように気密テープ７を貼り付けるので、額縁廻りの住宅の気密を簡便に確保することができる。
【００１５】
以下、本発明の第２の実施の形態を図面に基づき具体的に説明する。
図１１は、本発明の第２の実施の形態に係る額縁廻りの気密構造を説明するための断面図であり、図１におけるＡ−Ａ断面と同位置の断面を示すものである。図に示すように、軸組６に沿って、屋外側には外壁パネル５が、屋内側には断熱内壁枠２が、両者が互いに平行になるように設けられ、さらに、断熱内壁枠２の屋内側には石膏ボード４が配設されており、これらにより、住宅の壁が構成されている。該壁の開口の上下部分には、窓台１５（図示せず）及び窓まぐさ１６（図示せず）が配設されており、窓１は、該窓台１５及び窓まぐさ１６に固定された矩形の窓枠１０と、ヒンジ１２を介して屋外側に開閉する扉１１とからなるものであり、扉１１には、ガラス１３が嵌め込まれている。窓１が設けられた壁の屋内側には、額縁３が配設されるべき開口を有する断熱内壁枠２ａが配設されており、該断熱内壁枠２ａの開口周部２４と窓枠１０の周縁部１４との間に、額縁３が配設されている。また、額縁３の外周面と断熱内壁枠２ａの表面との間には、Ｌ型の気密プレート８が設けられている。
なお、本実施の形態においても、窓枠１０及び扉１１の材質は特に限定されるものはなく、アルミニウムやステンレス製のものであっても、ポリ塩化ビニル等のプラスチック製のものであってもよいが、住宅内部の気密を確保するためには、窓１自体が気密を確保できるものであることが必要である。
【００１６】
額縁３は、前記第１の実施の形態と同様に、断熱内壁枠２ａの開口周部２４に配設されるものであり、該額縁３の外周面には、図１２に示すように、矩形の額縁３の各辺ごとに気密プレート８が密着して固定されている。
【００１７】
気密プレート８は、図１３に示すように、Ｌ型に曲折された板状体であり、その材質は、ポリプロピレン等の合成樹脂であっても、アルミニウム製又はステンレス製、その他金属製のものであってもよい。気密プレート８の長手方向の長さは、額縁３の縦方向又は横方向の長さと略同寸法のものである。
【００１８】
以下、本気密構造の施工方法について、図１４及び図１５に基づいて説明する。
外壁パネル５、窓１、断熱内壁枠２、額縁３等の取付け方法は、前記第１の実施の形態と同様である。即ち、軸組６に沿って外壁パネル５、窓台１５及び窓まぐさ１６を取り付け、窓台１５及び窓まぐさ１６に窓１を固定し、さらに、屋内側から、前記開口２３を有する断熱内壁枠２ａを取り付け、該開口２３に、額縁３を嵌め込んで固定する。
なお、額縁３の固定は、ビスや釘等を、額縁３を貫通して断熱内壁枠２ａの開口周部２４に貫入するように打ち付けることにより、又は、適当な取付け金具等を用いて行うものとし、必要であれば、窓枠１０の周縁部１４に、ポリウレタンやポリスチレン等の発泡体を周設し、額縁３を、該気密発泡体を押圧するように配設して、窓枠１０と額縁３との間の気密を確保する。
【００１９】
額縁３廻りには、図１４に示すように、気密プレート８が取り付けれらるが、該気密プレート８の取付けは、額縁３を断熱内壁枠２ａに配設する前に行っても、その後に行ってもよい。前記気密プレート８は、矩形の額縁３の各辺それぞれについて、そのＬ型の一の面を額縁３の外周面に、他の面を断熱内壁枠２ａの表面に密接するように取り付けられる。このとき、気密プレート８の額縁３の外周面と密接すべき面には、予め接着剤等を塗布しておくか、両面テープを貼りつけておき、これらにより、気密プレート８を、額縁３の外周面の所定の位置に固定する。
つぎに、図１５に示すように、気密プレート８と断熱内壁枠２ａとの継目部分及び気密プレート８同士の継目部分に、気密テープ７を貼りつけて密封する。このとき、気密テープ７同士がそれぞれ重なるように貼り付け、気密プレート８と断熱内壁枠２ａとの継目部分及び気密プレート８同士の継目部分に隙間やピンホールが生じないようにする。その後、断熱内壁枠２、２ａの屋内側に、石膏ボード４を覆設する。
なお、この場合も前記第１の実施の形態と同様に、気密テープ７又は気密プレート８を、断熱内壁枠２ａの枠体２０又は桟がある位置までに渡って設ければ、さらに確実に気密を保持することができる。
【００２０】
このように、本実施の形態に係る窓廻りの気密構造によれば、断熱内壁枠２ａの開口周部２４と窓枠１０の周縁部１４との間に配設された額縁３の外周面と、断熱内壁枠２ａの表面との間に、Ｌ型の気密プレート８を設け、気密プレート８と断熱内壁枠２ａとの継目部分及び気密プレート８同士の継目部分に、気密テープ７を貼りつけて密封したので、額縁廻りの住宅の気密を簡便に確保することができる。
【００２１】
なお、前記第２の実施の形態では、気密プレート８と断熱内壁枠２ａとの継目部分は、気密テープ７を貼り付けることにより密封するものとしたが、気密プレート８の、断熱内壁枠２ａと密接する面に接着剤等を塗布して、気密プレートと断熱内壁枠２ａとの継目部分を密封するものとしてもよい。
【００２２】
また、前記各実施の形態では、窓枠と同形状の開口を有する内壁枠は、断熱材２１が充填された断熱内壁枠２ａとしたが、断熱材２１が設けられていないような内壁枠を用いたとしても、本気密構造を利用することができる。
【００２３】
【発明の効果】
以上説明したように、本発明の請求項１に係る額縁廻りの気密構造によれば、額縁の外周面に、その一の面が前記内壁枠の表面と略同一面となるように周設された補助部材と、前記額縁廻りに沿って、前記補助部材の一の面と前記内壁枠の表面とに渡って貼設された帯状の気密テープとを備えてなるものとしたので、額縁廻りにおける住宅の気密を簡便に確保することができる。
【００２４】
また、本発明の請求項２に係る額縁廻りの気密構造によれば、額縁廻りに沿って、該額縁の外周面及び内壁枠の表面と密接するように設けられたＬ型の気密プレートと、該気密プレートの継目部分を密封するように設けられた帯状の気密テープとを備えてなるものとしたので、額縁廻りにおける住宅の気密を簡便に確保することができる。
【図面の簡単な説明】
【図１】本発明の第１の実施の形態に係る額縁廻りの気密構造の構成を説明するための概略斜視図である。
【図２】図１のＡ−Ａ断面を示す断面図である。
【図３】断熱内壁枠２ａの構成を説明するための概略斜視図である。
【図４】補助部材３１が周設された額縁３の構成を説明するための概略斜視図である。
【図５】額縁３に補助部材３１を固定する方法を説明するための概略斜視図である。
【図６】窓１の取付け方法を説明するための概略斜視図である。
【図７】断熱内壁枠２ａの取付け方法を説明するための概略斜視図である。
【図８】額縁３の取付け方法を説明するための概略斜視図である。
【図９】気密テープ７の貼付け方法を説明するための概略斜視図である。
【図１０】気密テープ７の貼付け方法を説明するための概略斜視図である。
【図１１】本発明の第２の実施の形態に係る額縁廻りの気密構造の構成を説明するための断面図である。
【図１２】額縁３と気密プレート８の構成を説明するための概略斜視図である。
【図１３】気密プレート８の構成を説明するための概略斜視図である。
【図１４】気密プレート８の取付け方法を説明するための概略斜視図である。
【図１５】気密テープ７の貼付け方法を説明するための概略斜視図である。
【符号の説明】
２ａ  断熱内壁枠
２３  開口
３  額縁
３１  補助部材
７  気密テープ
８  気密プレート
【図１】
0003687045.tif 000002
【図２】
0003687045.tif 000003
【図３】
0003687045.tif 000004
【図４】
0003687045.tif 000005
【図５】
0003687045.tif 000006
【図６】
0003687045.tif 000007
【図７】
0003687045.tif 000008
【図８】
0003687045.tif 000009
【図９】
0003687045.tif 000010
【図１０】
0003687045.tif 000011
【図１１】
0003687045.tif 000012
【図１２】
0003687045.tif 000013
【図１３】
0003687045.tif 000014
【図１４】
0003687045.tif 000015
【図１５】
0003687045.tif 000016